(57)【特許請求の範囲】
【請求項１】
動刃と櫛刃形状の静刃を軸を用いて互いに回動自在に連結した鋏であって，
静刃は櫛刃形状の部分と反対側になる峰部分を外方へ膨らんだ湾曲形状にして，静刃の刃部の幅を動刃の刃部の幅より広くしており，
静刃の刃部の側面に１又は２以上の貫通孔が形成されていることを特徴とする，鋏。
【請求項２】
静刃のハンドル部に形成されたリングに、動刃と静刃を閉じた際のストッパーとして、突起が設けてある，請求項１の鋏。
【請求項３】
前記突起の先端に衝撃吸収材が取り付けてある，請求項２の鋏。
【請求項４】
動刃及び／又は静刃のハンドル部にも１又は２以上の貫通孔が形成されていることを特徴とする，請求項１，２又は３のいずれかの鋏。
【発明の詳細な説明】
【０００１】
【発明の属する技術分野】
本発明は，特に理美容用に適した鋏に関する。
【０００２】
【従来の技術】
例えば美容院や理髪店などにおいて頭髪を切るために鋏が使用されるが，一般に鋏は，動刃と静刃をネジなどの軸を用いて互いに回動自在に連結した構成である。使用する場合は，静刃を頭髪の下側にあてがい，軸を支点に動刃を回動させることにより，動刃と静刃の間で頭髪を剪断していく。
【０００３】
【発明が解決しようとする課題】
ところで，頭髪を切った場合に，切った頭髪が動刃や静刃の側面に付着することがある。特に美容院や理髪店などで頭髪を切る場合，頭髪が濡れていることも多く，動刃や静刃の側面に頭髪が付着しやすい。かかる場合，頭髪を切る作業がしにくくなるばかりか，側面に付着した頭髪によって動刃や静刃の位置が見にくくなり，頭髪を切る長さを誤ってしまう心配がある。
【０００４】
従って本発明の目的は，頭髪などが動刃や静刃の側面に付着しにくい鋏を提供することにある。
【０００５】
【課題を解決するための手段】
この目的を達成するために，本発明にあっては，動刃と静刃を軸を用いて互いに回動自在に連結した鋏であって，動刃及び／又は静刃の刃部の側面に１又は２以上の貫通孔が形成されていることを特徴としている。この鋏において，動刃と静刃を閉じた際に，動刃の刃部に形成された貫通孔と静刃の刃部に形成された貫通孔が一致するように，動刃及び静刃の刃部の側面に貫通孔を配置しても良い。また，前記鋏は例えばすき鋏であり，静刃の刃部の幅が動刃の刃部の幅よりも広くなっていても良い。また，動刃及び／又は静刃のハンドル部にも１又は２以上の貫通孔が形成されていても良い。
【０００６】
【発明の実施の形態】
以下，本発明の好ましい実施の形態を図面を参照にして説明する。図１は，本発明の実施の形態にかかる鋏１の分解図であり，図２は，図１におけるＡ−Ａ断面拡大図，図３は，図１におけるＢ−Ｂ断面拡大図である。図４は，鋏１の閉じた状態の説明図であり，図５は，鋏１の開いた状態の説明図である。図６は，鋏１の使用状態の説明図である。
【０００７】
この鋏１は，静刃１０と動刃２０を，軸であるネジ３０を用いて互いに回動自在に連結した構成になっている。静刃１０のほぼ中央には，ネジ３０を挿入自在な円孔１１が設けられている。静刃１０の刃部１２の先端角部１３は，頭髪などを切断するために鋭利な形状に形成されている。刃部１２の側面には，この実施の形態では三箇所に貫通孔１４が形成されている。
【０００８】
図２に示すように，静刃１０における刃部１２の裏面（動刃２０と向き合う面，図２において刃部１２の下面）は，凹面形状の裏スキ面１２ａに形成されており，刃部１２の表面（裏面と反対側の面，図２において刃部１２の上面）は，凸面形状の表甲丸面１２ｂに形成されることにより，刃部１２は，いわゆる蛤刃に構成されている。
【０００９】
静刃１０において，円孔１１を挟んで刃部１２と反対側となるハンドル部１５には，鋏１を使用する際に指を通すためのリング１６が形成されている。また，リング１６の外側には，使用する際に指を引っかけるためのフック１７と，ストッパーとなる突起１８が形成されている。静刃１０のハンドル部１５において，リング１６と円孔１１の間の部分には，貫通孔１９が適当箇所に形成されている。
【００１０】
静刃１０において，刃部１２は，例えばステンレスなどの金属やセラミックス等の比較的硬質な材料からなる。ハンドル部１５は，例えば樹脂やプラスチック等の刃部１２に比べて柔らかい材料で構成される。
【００１１】
動刃２０のほぼ中央には，ネジ３０を螺合させるためのネジ孔２１が設けられている。先に説明した静刃１０と同様に，動刃２０の刃部２２の先端角部２３も，頭髪などを切断するために鋭利な形状に形成され，刃部２２の側面にも，この実施の形態では三箇所に貫通孔２４が形成されている。
【００１２】
図３に示すように，動刃２０においても同様に，刃部２２の裏面（静刃１０と向き合う面，図３において刃部２２の上面）は，凹面形状の裏スキ面２２ａに形成されており，刃部２２の表面（裏面と反対側の面，図３において刃部２２の下面）は，凸面形状の表甲丸面２２ｂに形成されることにより，刃部２２も，いわゆる蛤刃に構成されている。
【００１３】
また同様に，動刃２０において，ネジ孔２１を挟んで刃部２２と反対側となるハンドル部２５には，鋏１を使用する際に指を通すためのリング２６が形成され，動刃２０のハンドル部２５においてリング２６とネジ孔２１の間の部分には，貫通孔２９が適当箇所に形成されている。
【００１４】
また同様に，動刃２０において，刃部２２は，例えばステンレスなどの金属やセラミックス等の比較的硬質な材料からなり，ハンドル部２５は，例えば樹脂やプラスチック等の刃部２２に比べて柔らかい材料で構成される。
【００１５】
このように構成された静刃１０と動刃２０を，刃部１２の裏スキ面１２ａと刃部２２の裏スキ面２２ａとを向き合わせるようにして重ね合わせ，静刃１０側からネジ３０を円孔１１に挿入し，動刃２０に形成されたネジ孔２１にネジ３０を螺合させることにより，静刃１０と動刃２０を互いに連結する。こうして連結されて構成された鋏１は，ネジ３０を軸にして静刃１０と動刃２０を互いに回動させることができ，図４に示すように，静刃１０の刃部１２と動刃２０の刃部２２を一致させて鋏１を閉じた状態と，図５に示すように，静刃１０の刃部１２と動刃２０の刃部２２を広げて鋏１を開いた状態にすることが可能である。
【００１６】
なお，図４に示すように鋏１を閉じた場合には，静刃１０のリング１６の外側に設けられた突起１８が動刃２０のリング２６に当接し，静刃１０と動刃２０の回動を規制するストッパーとしての役割を果たす。このため，静刃１０の刃部１２と動刃２０の刃部２２が一致した状態を越える位置まで回動しすぎてしまう心配がない。また，この実施の形態では，図４に示すように鋏１を閉じた際において，静刃１０の刃部１２に形成された三つの貫通孔１４と動刃２０の刃部２２に形成された三つの貫通孔２４が互いにそれぞれ一致するように，各貫通孔１４と貫通孔２４は配置されている。
【００１７】
さて，以上のように構成された実施の形態の鋏１を使用し，例えば美容院や理髪店などにおいて頭髪を切る場合，通常は図６に示すように動刃２０のリング２６に親指を通し，静刃１０のリング１６に薬指を通すことにより，鋏１を手に持つ。この場合，静刃１０のリング１６の外側に形成されているフック１７に小指を引っかけるようにすると，鋏１を安定して持つことが可能となる。そして先ず，指で操作することにより，図５に示すように，静刃１０の刃部１２と動刃２０の刃部２２を広げて鋏１を開いた状態にする。
【００１８】
こうして鋏１を開いた状態で，図６に示すように，静刃１０の刃部１２を頭髪３５の下側にあてがう。そして，指で操作することにより，ネジ３０を軸にして主として動刃２０を回動させて鋏１を閉じることにより，静刃１０の刃部１２の先端角部１３と動刃２０の刃部２２の先端角部２３の間で頭髪３５を剪断していく。
【００１９】
こうして切断された頭髪３５は，静刃１０の刃部１２や動刃２０の刃部２２の側面などに付着しやすく，特に美容院や理髪店などで頭髪を切る場合は，頭髪が濡れていることも多く，頭髪が付着しやすい。しかしながら，この実施の形態の鋏１にあっては，静刃１０の刃部１２や動刃２０の刃部２２に貫通孔１４，２４が形成されているので，静刃１０の刃部１２や動刃２０の刃部２２の側面などに頭髪が付着しづらく，切断された頭髪３５のほとんどは自重で落下するようになる。このため，静刃１０の刃部１２や動刃２０の刃部２２の位置が視認しやすくなり，頭髪を切る作業が容易となる。
【００２０】
また，この実施の形態の鋏１にあっては，静刃１０の刃部１２や動刃２０の刃部２２に貫通孔１４，２４が形成されていることにより，鋏１全体の重量が軽量化され，鋏１を持つ手への負担も軽減される。また，貫通孔１４，２４によって頭髪３５を切る際の衝撃を適度に吸収させることもでき，特にこの実施の形態のように，静刃１０のハンドル部１５や動刃２０のハンドル部２５を樹脂やプラスチック等の軟質の材料で構成したり，貫通孔１９，２９を適当箇所に形成しておくことにより，鋏１を持つ手への負担を更に軽減させることが可能である。
【００２１】
また，静刃１０のハンドル部１５や動刃２０のハンドル部２５に貫通孔１９，２９を形成したことにより，静刃１０のハンドル部１５や動刃２０のハンドル部２５にも頭髪が付着しづらく，ハンドル部１５，２５の位置が視認しやすい。更にハンドル部１５，２５に形成された貫通孔１９，２９の位置に基づいて静刃１０の刃部１２や動刃２０の刃部２２の位置も把握できるので，貫通孔１９，２９を見ることによって，頭皮と刃部１２，２２が平行になっているか否かも確認でき，正確なカットがしやすい。この場合，貫通孔１９，２９の方向を工夫することによって，貫通孔１９，２９の見え具合から刃部１２，２２の角度を確認することも可能である。例えば刃部１２，２２に対して貫通孔１９，２９を直角に形成しておけば，頭皮と刃部１２，２２が平行になっていないと，貫通孔１９，２９が塞がれるように見えることとなるので，刃部１２，２２の向きを容易に修正できるようになる。
【００２２】
更に鋏１を閉じた際にストッパーとしての役割を果たす突起１８の先端にゴムなどの衝撃吸収材を取り付けておけば，動刃２０のリング２６に突起１８が当接する際の衝撃を吸収でき，手への負担をより軽減できる。この場合，図示の形態に示したように，静刃１０のハンドル部１５に突起１８を形成してあるので，（動刃２０に突起１８を形成した場合に比べて）動刃２０の重量をなるべく少なくでき，カットをする際に動刃２０を少ない力で動かすことが可能で指への負担が少ない。
【００２３】
また，静刃１０の刃部１２や動刃２０の刃部２２をいわゆる蛤刃に構成したことにより，シャープな切れ味を得ることができ，頭髪３５を切断した際に毛先を痛める心配がない。また，貫通孔１４，２４が形成されていることにより，静刃１０の刃部１２や動刃２０の刃部２２などに水分が付着しても乾燥が早く，切れ味を劣化させない。
【００２４】
次に，図７は，本発明をすき鋏に適用した実施の形態にかかる鋏２を開いた状態の説明図であり，図８は，鋏２の閉じた状態の説明図である。この鋏２は，頭髪３５をすくために使用されるものであり，刃部４２が櫛刃形状に構成された静刃４０と，刃部５２が通常の（櫛刃形状でない）直線形状に構成された動刃５０を，軸であるネジ６０を用いて互いに回動自在に連結した構成になっている。また，この鋏２にあっては，静刃４０の刃部４２の幅Ｌ１が動刃５０の刃部５２の幅Ｌ２よりも広く構成されており，幅広に構成された静刃４０の刃部４２の側面に三つの貫通孔４４が形成されている。なお，この鋏２にあっては，動刃５０の刃部５２の幅Ｌ２は静刃４０の刃部４２の幅Ｌ１よりも充分に狭くなっており，図８に示すように，鋏２を閉じた際においても，動刃５０の刃部５２は，静刃４０の刃部４２の側面に形成された貫通孔４４を塞ぐことがない。なお，以上に説明した点を除けば，図７，８に示した鋏２は，先に図１〜６で説明した鋏１と概ね同様の構成を備えているので，重複する説明を省略する。
【００２５】
この実施の形態の鋏２を使用し，例えば美容院や理髪店などにおいて頭髪をすく場合，先に図６で説明した場合と同様にして鋏２を手に持ち，鋏２を広げた状態で，静刃４０の刃部４２を頭髪３５の下側にあてがう。そして，主として動刃５０を回動させて鋏２を閉じることにより，頭髪３５をすきながら剪断することができる。その場合，先に図１〜６で説明した鋏１と同様の効果を奏することができる。
【００２６】
更に，この実施の形態の鋏２にあっては，静刃４０の刃部４２を頭髪３５の下側にあてがう際に，頭皮から静刃４０の刃部４２の幅Ｌ１以上離すように心がければ，静刃４０の刃部４２が幅広に構成されているため，静刃４０の刃部４２を頭髪３５の根本に近付けすぎる心配がなく，頭髪３５を誤って必要以上に短く切ってしまう事態を回避できるといった特徴がある。
【００２７】
以上，本発明の好ましい実施の形態を例示したが，本発明はここで説明した形態に限定されない。例えば動刃や静刃の刃部の側面に形成する貫通孔は１つでも良く複数でも良い。また動刃と静刃の両方の刃部の側面に貫通孔を設けても良いし，どちらか一方の刃部の側面に貫通孔を設けても良い。また，静刃や動刃において，刃部とハンドル部は同じ材料で構成しても良く，刃部とハンドル部を一体成形しても良い。
【００２８】
なお本発明の鋏は，動刃や静刃の刃部の側面に形成された貫通孔を目印にして動刃や静刃の刃部の長さを確認することもできるので，例えば右手に鋏を持ち，左手で頭髪を束ねながら頭髪を切っていくような場合であっても，動刃や静刃の刃部の位置や長さを貫通孔を目印にして確認でき，誤って指を切ってしまう心配も少なくなる。また，動刃や静刃の刃部の側面に複数の貫通孔を形成する場合，貫通孔同士の間隔を例えば１月で伸びる頭髪の長さなどにしておけば，貫通孔同士の間隔を頭髪を切る際の長さの目安にすることもできる。更に，刃部にひねりを加えることなどにより，切れ味を更に向上させても良い。
【００２９】
【発明の効果】
本発明によれば，静刃や動刃の刃部に頭髪などが付着しづらい。このため，刃部の位置が視認しやすく，作業がしやすい。また，鋏全体の重量が軽量化され，切る際の衝撃を適度に吸収させることもでき，鋏を持つ手への負担が少なくなる。また，刃部に水分が付着したような場合であっても乾燥が早く，切れ味を劣化させない。
【図面の簡単な説明】
【図１】本発明の実施の形態にかかる鋏の分解図である。
【図２】図１におけるＡ−Ａ断面拡大図である。
【図３】図１におけるＢ−Ｂ断面拡大図である。
【図４】本発明の実施の形態にかかる鋏を閉じた状態の説明図である。
【図５】本発明の実施の形態にかかる鋏を開いた状態の説明図である。
【図６】本発明の実施の形態にかかる鋏の使用状態の説明図である。
【図７】  本発明をすき鋏に適用した実施の形態にかかる鋏を開いた状態の説明図である。
【図８】  本発明をすき鋏に適用した実施の形態にかかる鋏を閉じた状態の説明図である。
【符号の説明】
１，２    鋏
１０，４０  静刃
１２，２２，４２，５２  刃部
１４，２４，４４  貫通孔
１５，２５  ハンドル部
２０，５０  動刃
３０，６０  ネジ
【図１】
0004980513.tif 000002
【図２】
0004980513.tif 000003
【図３】
0004980513.tif 000004
【図４】
0004980513.tif 000005
【図５】
0004980513.tif 000006
【図６】
0004980513.tif 000007
【図７】
0004980513.tif 000008
【図８】
0004980513.tif 000009